【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
ディジタルテレビ放送番組を受信する受信部と、
前記受信部で受信した前記ディジタルテレビ放送番組を第１の符号化方式で第１のメディアに記録する第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録する第２の記録部と、
前記第１のメディアに前記第２の符号化方式で記録された前記ディジタルテレビ放送番組を、前記第２のメディアに移動する移動部と、を備え、
前記ディジタルテレビ放送番組の複製は制限されており、
前記第１のメディアに前記第２の符号化方式で記録された前記ディジタルテレビ放送番組を、前記第２のメディアに移動する場合、少なくとも前記第１の符号化方式で記録された前記ディジタルテレビ放送番組を、前記第１のメディアから削除することを特徴とする放送番組記録装置。
【請求項２】
ディジタルテレビ放送番組を受信する受信部と、
前記受信部で受信した前記ディジタルテレビ放送番組を第１の符号化方式で第１のメディアに記録する第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録する第２の記録部と、
前記第１のメディアに前記第２の符号化方式で記録された前記ディジタルテレビ放送番組を、前記第２のメディアに転送する転送部と、を備え、
前記ディジタルテレビ放送番組の複製は制限されており、
前記第１のメディアに前記第２の符号化方式で記録された前記ディジタルテレビ放送番組を、前記第２のメディアに転送する場合、少なくとも前記第１の符号化方式で記録された前記ディジタルテレビ放送番組および前記第２の符号化方式で記録された前記ディジタルテレビ放送番組を、前記第１のメディアから削除することを特徴とする放送番組記録装置。
【請求項３】
ディジタルテレビ放送番組を受信する受信部と、
前記受信部で受信した前記ディジタルテレビ放送番組を第１の解像度及び第１の多重化方式で第１のメディアに記録する第１の記録部と、
前記第１のメディアに前記第１の解像度及び前記第１の多重化方式で記録された前記ディジタルテレビ放送番組を、第２のメディアに対応した第２の解像度及び第２の多重化方式に変換し、前記第２の解像度及び前記第２の多重化方式で前記第１のメディアに記録する第２の記録部と、
前記第１のメディアに前記第２の解像度及び前記第２の多重化方式で記録された前記ディジタルテレビ放送番組を、前記第２のメディアに移動する移動部と、を備え、
前記ディジタルテレビ放送番組の複製は制限されており、
前記第１のメディアに前記第２の解像度及び前記第２の多重化方式で記録された前記ディジタルテレビ放送番組を、前記第２のメディアに移動する場合、少なくとも前記第１の解像度及び前記第１の多重化方式で記録された前記ディジタルテレビ放送番組を、前記第１のメディアから削除することを特徴とする放送番組記録装置。
【請求項４】
ディジタルテレビ放送番組を受信する受信部と、
前記受信部で受信した前記ディジタルテレビ放送番組を第１の解像度及び第１の多重化方式で第１のメディアに記録する第１の記録部と、
前記第１のメディアに前記第１の解像度及び前記第１の多重化方式で記録された前記ディジタルテレビ放送番組を、第２のメディアに対応した第２の解像度及び第２の多重化方式に変換し、前記第２の解像度及び前記第２の多重化方式で前記第１のメディアに記録する第２の記録部と、
前記第１のメディアに前記第２の解像度及び前記第２の多重化方式で記録された前記ディジタルテレビ放送番組を、前記第２のメディアに転送する転送部と、を備え、
前記ディジタルテレビ放送番組の複製は制限されており、
前記第１のメディアに前記第２の解像度及び前記第２の多重化方式で記録された前記ディジタルテレビ放送番組を、前記第２のメディアに転送する場合、少なくとも前記第１の解像度及び前記第１の多重化方式で記録された前記ディジタルテレビ放送番組および前記第２の解像度及び前記第２の多重化方式で記録された前記ディジタルテレビ放送番組を、前記第１のメディアから削除することを特徴とする放送番組記録装置。
【請求項５】
ディジタルテレビ放送番組を受信する受信部と、
前記受信部で受信した前記ディジタルテレビ放送番組を第１の符号化方式で第１のメディアに記録する第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録する第２の記録部と、
前記第１のメディアに前記第２の符号化方式で記録されたディジタルテレビ放送番組を、前記第２のメディアに移動する移動部と、を備え、
前記受信部、前記第１の記録部、前記第２の記録部および前記移動部の動作状態には、
複製が制限されているディジタルテレビ放送番組を受信し、受信した前記ディジタルテレビ放送番組を前記第１の符号化方式で前記第１のメディアに記録し、前記第１の符号化方式で前記第１のメディアに記録された前記ディジタルテレビ放送番組を前記第２の符号化方式に変換して前記第１のメディアに記録し、前記第１のメディアに前記第２の符号化方式で記録された前記ディジタルテレビ放送番組を、前記第２のメディアに移動し、前記第１の符号化方式で記録された前記ディジタルテレビ番組を前記第１のメディアから削除する動作状態があることを特徴とする放送番組記録装置。
【請求項６】
ディジタルテレビ放送番組を受信する受信部と、
前記受信部で受信した前記ディジタルテレビ放送番組を第１の符号化方式で第１のメディアに記録する第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録する第２の記録部と、
前記第１のメディアに前記第２の符号化方式で記録された前記ディジタルテレビ放送番組を、前記第２のメディアに転送する転送部と、を備え、
前記受信部、前記第１の記録部、前記第２の記録部および前記転送部の動作状態には、
複製が制限されているディジタルテレビ放送番組を受信し、受信した前記ディジタルテレビ放送番組を前記第１の符号化方式で前記第１のメディアに記録し、前記第１の符号化方式で前記第１のメディアに記録された前記ディジタルテレビ放送番組を前記第２の符号化方式に変換して前記第１のメディアに記録し、前記第１のメディアに前記第２の符号化方式で記録された前記ディジタルテレビ放送番組を、前記第２のメディアに転送し、前記第１の符号化方式で記録された前記ディジタルテレビ番組および前記第２の符号化方式により記録された前記ディジタルテレビ放送番組を前記第１のメディアから削除する動作状態があることを特徴とする放送番組記録装置。
【請求項７】
ディジタルテレビ放送番組を受信する受信部と、
前記受信部で受信した前記ディジタルテレビ放送番組を第１の解像度及び第１の多重化方式で第１のメディアに記録する第１の記録部と、
前記第１のメディアに前記第１の解像度及び前記第１の多重化方式で記録されたディジタルテレビ放送番組を、第２のメディアに対応した第２の解像度及び第２の多重化方式に変換し、前記第２の解像度及び前記第２の多重化方式に変換されたディジタルテレビ放送番組を前記第１のメディアに記録する第２の記録部と、
前記第１のメディアに前記第２の符号化方式で記録されたディジタルテレビ放送番組を、前記第２のメディアに移動する移動部と、を備え、
前記受信部、前記第１の記録部、前記第２の記録部および前記移動部の動作状態には、
複製が制限されているディジタルテレビ放送番組を受信し、受信した前記ディジタルテレビ放送番組を前記第１の解像度及び前記第１の多重化方式で前記第１のメディアに記録し、前記第１の解像度及び前記第１の多重化方式で前記第１のメディアに記録された前記ディジタルテレビ放送番組を前記第２の解像度及び前記第２の多重化方式に変換して前記第１のメディアに記録し、前記第１のメディアに前記第２の解像度及び前記第２の多重化方式で記録された前記ディジタルテレビ放送番組を、前記第２のメディアに移動し、前記第１の解像度及び前記第１の多重化方式により記録された前記ディジタルテレビ番組を前記第１のメディアから削除する動作状態があることを特徴とする放送番組記録装置。
【請求項８】
ディジタルテレビ放送番組を受信する受信部と、
前記受信部で受信した前記ディジタルテレビ放送番組を第１の解像度及び第１の多重化方式で第１のメディアに記録する第１の記録部と、
前記第１のメディアに前記第１の解像度及び前記第１の多重化方式で記録された前記ディジタルテレビ放送番組を、第２のメディアに対応した第２の解像度及び第２の多重化方式に変換し、前記第２の解像度及び前記第２の多重化方式で前記ディジタルテレビ放送番組を前記第１のメディアに記録する第２の記録部と、
前記第１のメディアに前記第２の符号化方式で記録された前記ディジタルテレビ放送番組を、前記第２のメディアに転送する転送部と、を備え、
前記受信部、前記第１の記録部、前記第２の記録部および前記転送部の動作状態には、
複製が制限されているディジタルテレビ放送番組を受信し、受信した前記ディジタルテレビ放送番組を前記第１の解像度及び前記第１の多重化方式で前記第１のメディアに記録し、前記第１の解像度及び前記第１の多重化方式で前記第１のメディアに記録された前記ディジタルテレビ放送番組を前記第２の解像度及び前記第２の多重化方式に変換して前記第１のメディアに記録し、前記第１のメディアに前記第２の解像度及び前記第２の多重化方式で記録された前記ディジタルテレビ放送番組を、前記第２のメディアに転送し、前記第１の解像度及び前記第１の多重化方式により記録された前記ディジタルテレビ番組および前記第２の解像度及び前記第２の多重化方式により記録された前記ディジタルテレビ放送番組を前記第１のメディアから削除する動作状態があることを特徴とする放送番組記録装置。
【請求項９】
ディジタルテレビ放送番組を受信する受信部と、
前記受信部で受信した前記ディジタルテレビ放送番組を第１の符号化方式で第１のメディアに記録可能な第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録可能な第２の記録部と、
前記第１のメディアに前記第２の符号化方式で記録された前記ディジタルテレビ放送番組を、前記第２のメディアに移動可能な移動部と、を備え、
前記ディジタルテレビ放送番組の複製は制限されており、
前記第１のメディアに前記第２の符号化方式で記録された前記ディジタルテレビ放送番組を、前記第２のメディアに移動する場合、前記第１の符号化方式で記録された前記ディジタルテレビ放送番組を前記第１のメディアから削除可能であることを特徴とする放送番組記録装置。
【請求項１０】
ディジタルテレビ放送番組を受信する受信部と、
前記受信部で受信した前記ディジタルテレビ放送番組を第１の符号化方式で第１のメディアに記録可能な第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録可能な第２の記録部と、
前記第１のメディアに前記第２の符号化方式で記録された前記ディジタルテレビ放送番組を、前記第２のメディアに転送可能な転送部と、を備え、
前記ディジタルテレビ放送番組の複製は制限されており、
前記第１のメディアに前記第２の符号化方式で記録された前記ディジタルテレビ放送番組を、前記第２のメディアに転送する場合、前記第１の符号化方式で記録された前記ディジタルテレビ放送番組および前記第２の符号化方式で記録された前記ディジタルテレビ放送番組を前記第１のメディアから削除可能であることを特徴とする放送番組記録装置。
【請求項１１】
ディジタルテレビ放送番組を受信する受信部と、
前記受信部で受信した前記ディジタルテレビ放送番組を第１の解像度及び第１の多重化方式で第１のメディアに記録可能な第１の記録部と、
前記第１のメディアに前記第１の解像度及び前記第１の多重化方式で記録された前記ディジタルテレビ放送番組を、第２のメディアに対応した第２の解像度及び第２の多重化方式に変換し、前記第２の解像度及び前記第２の多重化方式で前記第１のメディアに記録可能な第２の記録部と、
前記第１のメディアに前記第２の解像度及び前記第２の多重化方式で記録された前記ディジタルテレビ放送番組を、前記第２のメディアに移動可能な移動部と、を備え、
前記ディジタルテレビ放送番組の複製は制限されており、
前記第１のメディアに前記第２の解像度及び前記第２の多重化方式で記録された前記ディジタルテレビ放送番組を、前記第２のメディアに移動する場合、前記第１の解像度及び前記第１の多重化方式で記録された前記ディジタルテレビ放送番組を前記第１のメディアから削除可能であることを特徴とする放送番組記録装置。
【請求項１２】
ディジタルテレビ放送番組を受信する受信部と、
前記受信部で受信した前記ディジタルテレビ放送番組を第１の解像度及び第１の多重化方式で第１のメディアに記録可能な第１の記録部と、
前記第１のメディアに前記第１の解像度及び前記第１の多重化方式で記録された前記ディジタルテレビ放送番組を、第２のメディアに対応した第２の解像度及び第２の多重化方式に変換し、前記第２の解像度及び前記第２の多重化方式で前記第１のメディアに記録可能な第２の記録部と、
前記第１のメディアに前記第２の解像度及び前記第２の多重化方式で記録された前記ディジタルテレビ放送番組を、前記第２のメディアに転送可能な転送部と、を備え、
前記ディジタルテレビ放送番組の複製は制限されており、
前記第１のメディアに前記第２の解像度及び前記第２の多重化方式で記録された前記ディジタルテレビ放送番組を、前記第２のメディアに転送する場合、前記第１の解像度及び前記第１の多重化方式で記録された前記ディジタルテレビ放送番組および前記第２の解像度及び前記第２の多重化方式で記録された前記ディジタルテレビ放送番組を前記第１のメディアから削除可能であることを特徴とする放送番組記録装置。
【請求項１３】
ディジタルテレビ放送番組を受信する受信部と、
前記受信部で受信した前記ディジタルテレビ放送番組を第１の符号化方式で第１のメディアに記録可能な第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録可能な第２の記録部と、
前記第１のメディアに前記第２の符号化方式で記録されたディジタルテレビ放送番組を、前記第２のメディアに移動可能な移動部と、を備え、
前記受信部、前記第１の記録部、前記第２の記録部および前記移動部の動作状態には、
複製が制限されているディジタルテレビ放送番組を受信し、受信した前記ディジタルテレビ放送番組を前記第１の符号化方式で前記第１のメディアに記録し、前記第１の符号化方式で前記第１のメディアに記録された前記ディジタルテレビ放送番組を前記第２の符号化方式に変換して前記第１のメディアに記録し、前記第１のメディアに前記第２の符号化方式で記録された前記ディジタルテレビ放送番組を、前記第２のメディアに移動し、前記第１の符号化方式で記録された前記ディジタルテレビ番組を前記第１のメディアから削除する動作状態があることを特徴とする放送番組記録装置。
【請求項１４】
ディジタルテレビ放送番組を受信する受信部と、
前記受信部で受信した前記ディジタルテレビ放送番組を第１の符号化方式で第１のメディアに記録可能な第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録可能な第２の記録部と、
前記第１のメディアに前記第２の符号化方式で記録された前記ディジタルテレビ放送番組を、前記第２のメディアに転送可能な転送部と、を備え、
前記受信部、前記第１の記録部、前記第２の記録部および前記転送部の動作状態には、
複製が制限されているディジタルテレビ放送番組を受信し、受信した前記ディジタルテレビ放送番組を前記第１の符号化方式で前記第１のメディアに記録し、前記第１の符号化方式で前記第１のメディアに記録された前記ディジタルテレビ放送番組を前記第２の符号化方式に変換して前記第１のメディアに記録し、前記第１のメディアに前記第２の符号化方式で記録された前記ディジタルテレビ放送番組を、前記第２のメディアに転送し、前記第１の符号化方式で記録された前記ディジタルテレビ番組および前記第２の符号化方式により記録された前記ディジタルテレビ放送番組を前記第１のメディアから削除する動作状態があることを特徴とする放送番組記録装置。
【請求項１５】
ディジタルテレビ放送番組を受信する受信部と、
前記受信部で受信した前記ディジタルテレビ放送番組を第１の解像度及び第１の多重化方式で第１のメディアに記録可能な第１の記録部と、
前記第１のメディアに前記第１の解像度及び前記第１の多重化方式で記録されたディジタルテレビ放送番組を、第２のメディアに対応した第２の解像度及び第２の多重化方式に変換し、前記第２の解像度及び前記第２の多重化方式に変換されたディジタルテレビ放送番組を前記第１のメディアに記録可能な第２の記録部と、
前記第１のメディアに前記第２の符号化方式で記録されたディジタルテレビ放送番組を、前記第２のメディアに移動可能な移動部と、を備え、
前記受信部、前記第１の記録部、前記第２の記録部および前記移動部の動作状態には、
複製が制限されているディジタルテレビ放送番組を受信し、受信した前記ディジタルテレビ放送番組を前記第１の解像度及び前記第１の多重化方式で前記第１のメディアに記録し、前記第１の解像度及び前記第１の多重化方式で前記第１のメディアに記録された前記ディジタルテレビ放送番組を前記第２の解像度及び前記第２の多重化方式に変換して前記第１のメディアに記録し、前記第１のメディアに前記第２の解像度及び前記第２の多重化方式で記録された前記ディジタルテレビ放送番組を、前記第２のメディアに移動し、前記第１の解像度及び前記第１の多重化方式により記録された前記ディジタルテレビ番組を前記第１のメディアから削除する動作状態があることを特徴とする放送番組記録装置。
【請求項１６】
ディジタルテレビ放送番組を受信する受信部と、
前記受信部で受信した前記ディジタルテレビ放送番組を第１の解像度及び第１の多重化方式で第１のメディアに記録可能な第１の記録部と、
前記第１のメディアに前記第１の解像度及び前記第１の多重化方式で記録された前記ディジタルテレビ放送番組を、第２のメディアに対応した第２の解像度及び第２の多重化方式に変換し、前記第２の解像度及び前記第２の多重化方式で前記ディジタルテレビ放送番組を前記第１のメディアに記録可能な第２の記録部と、
前記第１のメディアに前記第２の符号化方式で記録された前記ディジタルテレビ放送番組を、前記第２のメディアに転送可能な転送部と、を備え、
前記受信部、前記第１の記録部、前記第２の記録部および前記転送部の動作状態には、
複製が制限されているディジタルテレビ放送番組を受信し、受信した前記ディジタルテレビ放送番組を前記第１の解像度及び前記第１の多重化方式で前記第１のメディアに記録し、前記第１の解像度及び前記第１の多重化方式で前記第１のメディアに記録された前記ディジタルテレビ放送番組を前記第２の解像度及び前記第２の多重化方式に変換して前記第１のメディアに記録し、前記第１のメディアに前記第２の解像度及び前記第２の多重化方式で記録された前記ディジタルテレビ放送番組を、前記第２のメディアに転送し、前記第１の解像度及び前記第１の多重化方式により記録された前記ディジタルテレビ番組および前記第２の解像度及び前記第２の多重化方式により記録された前記ディジタルテレビ放送番組を前記第１のメディアから削除する動作状態があることを特徴とする放送番組記録装置。
【請求項１７】
ディジタル情報を受信する受信部と、
前記受信部で受信した前記ディジタル情報の内、複製が制限されたディジタルテレビ放送番組を第１の符号化方式で第１のメディアに記録する第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録する第２の記録部と、
前記第１のメディアに前記第２の符号化方式で記録された前記ディジタルテレビ放送番組を、前記第２のメディアに出力する出力部と、を備え、
前記第１のメディアに前記第２の符号化方式で記録された前記ディジタルテレビ放送番組を、前記第２のメディアに出力する場合、少なくとも前記第１の符号化方式で記録された前記ディジタルテレビ放送番組および前記第２の符号化方式で記録された前記ディジタルテレビ放送番組を、前記第１のメディアから削除することを特徴とする放送番組記録装置。
【請求項１８】
ディジタル情報を受信する受信部と、
前記受信部で受信した前記ディジタル情報の内、複製が制限されたディジタルテレビ放送番組を第１の符号化方式で第１のメディアに記録する第１の記録部と、
前記第１のメディアに前記第１の符号化方式で記録された前記ディジタルテレビ放送番組を、第２のメディアに対応した第２の符号化方式に変換し、前記第２の符号化方式で前記第１のメディアに記録する第２の記録部と、
前記第１のメディアに前記第２の符号化方式で記録された前記ディジタルテレビ放送番組を、前記第２のメディアに出力する出力部と、を備え、
前記第１のメディアに前記第２の符号化方式で記録された前記ディジタルテレビ放送番組を、前記第２のメディアに出力する場合、少なくとも前記第１の符号化方式で記録された前記ディジタルテレビ放送番組を、前記第１のメディアから削除することを特徴とする放送番組記録装置。
【請求項１９】
ディジタル情報を受信する受信部と、
前記受信部で受信した前記ディジタル情報の内、複製が制限されたディジタルテレビ放送番組を第１の解像度及び第１の多重化方式で第１のメディアに記録する第１の記録部と、
前記第１のメディアに前記第１の解像度及び前記第１の多重化方式で記録された前記ディジタルテレビ放送番組を、第２のメディアに対応した第２の解像度及び第２の多重化方式に変換し、前記第２の解像度及び前記第２の多重化方式で前記第１のメディアに記録する第２の記録部と、
前記第１のメディアに前記第２の解像度及び前記第２の多重化方式で記録された前記ディジタルテレビ放送番組を、前記第２のメディアに出力する出力部と、を備え、
前記第１のメディアに前記第２の解像度及び前記第２の多重化方式で記録された前記ディジタルテレビ放送番組を、前記第２のメディアに出力する場合、少なくとも前記第１の解像度及び前記第１の多重化方式で記録された前記ディジタルテレビ放送番組および前記第２の解像度及び前記第２の多重化方式で記録された前記ディジタルテレビ放送番組を、前記第１のメディアから削除することを特徴とする放送番組記録装置。
【請求項２０】
ディジタル情報を受信する受信部と、
前記受信部で受信した前記ディジタル情報の内、複製が制限されたディジタルテレビ放送番組を第１の解像度及び第１の多重化方式で第１のメディアに記録する第１の記録部と、
前記第１のメディアに前記第１の解像度及び前記第１の多重化方式で記録された前記ディジタルテレビ放送番組を、第２のメディアに対応した第２の解像度及び第２の多重化方式に変換し、前記第２の解像度及び前記第２の多重化方式で前記第１のメディアに記録する第２の記録部と、
前記第１のメディアに前記第２の解像度及び前記第２の多重化方式で記録された前記ディジタルテレビ放送番組を、前記第２のメディアに出力する出力部と、を備え、
前記第１のメディアに前記第２の解像度及び前記第２の多重化方式で記録された前記ディジタルテレビ放送番組を、前記第２のメディアに出力する場合、少なくとも前記第１の解像度及び前記第１の多重化方式で記録された前記ディジタルテレビ放送番組を、前記第１のメディアから削除することを特徴とする放送番組記録装置。
【手続補正２】
【補正対象書類名】明細書
【補正対象項目名】０００７
【補正方法】変更
【補正の内容】
【０００７】
上記目的は、その一例として特許請求の範囲の構成により達成できる。
【手続補正３】
【補正対象書類名】明細書
【補正対象項目名】０００８
【補正方法】変更
【補正の内容】
【０００８】
本発明により、複製が制限されたディジタルテレビ放送番組などでも、第一のメディア
から第二のメディアに高速に移動することが可能となる。
【手続補正４】
【補正対象書類名】明細書
【補正対象項目名】発明の名称
【補正方法】変更
【補正の内容】
【発明の名称】放送番組記録装置。